【手続補正書】
【提出日】平成17年5月11日(2005.5.11)
【手続補正１】
【補正対象書類名】明細書
【補正対象項目名】発明の名称
【補正方法】変更
【補正の内容】
【発明の名称】用紙処理装置、画像形成装置、及び用紙処理装置の制御方法
【手続補正２】
【補正対象書類名】明細書
【補正対象項目名】特許請求の範囲
【補正方法】変更
【補正の内容】
【特許請求の範囲】
【請求項１】
画像形成された記録紙及び挿入紙を搬送すると共に前記記録紙に前記挿入紙を挿入した用紙束を作成可能な用紙処理装置であって、
記録紙及び挿入紙を搬送する搬送手段と、
前記搬送手段により搬送された記録紙及び挿入紙を用紙束として積載する積載手段と、
前記積載手段に積載された用紙束が排出される第１の排紙積載手段と、
前記積載手段に積載された用紙束が排出される第２の排紙積載手段と、
挿入紙が複数枚重なった状態で搬送される重送が発生しているか否かを判別する重送判別手段と、
前記重送判別手段により重送が発生していないと判断された場合に、前記積載手段に積載された用紙束を前記第１排紙積載手段に排出させ、前記重送判別手段により重送が発生したと判断された場合に、前記積載手段に積載されている作成途中の用紙束を前記第２の排紙積載手段へ排出する制御手段とを有することを特徴とする用紙処理装置。
【請求項２】
挿入紙を収納する挿入紙収納手段と、前記挿入紙収納手段から挿入紙を順次１枚ずつ分離し搬送する挿入紙搬送手段とを有することを特徴とする請求項１記載の用紙処理装置。
【請求項３】
前記制御手段は、重送による作成途中の用紙束を前記積載手段から前記第２の排紙積載手段への排出が終了した後、重送した挿入紙と同じ用紙束に挿入すべき挿入紙を前記挿入紙収納手段から前記第２の排紙積載手段に排出し、前記積載手段への次の用紙束の積載動作を再開することを特徴とする請求項１又は２記載の用紙処理装置。
【請求項４】
前記制御手段は、重送した挿入紙と同じ用紙束に挿入すべき挿入紙を前記挿入紙収納手段から前記積載手段に排出した後、重送による作成途中の用紙束と共に前記積載手段から前記第２の排紙積載手段に排出し、前記積載手段への次の用紙束の積載動作を再開することを特徴とする請求項１又は２記載の用紙処理装置。
【請求項５】
前記挿入紙搬送手段による挿入紙の搬送時に挿入紙の紙厚を測定する紙厚測定手段を有し、前記重送判別手段は、前記紙厚測定手段による測定結果に基づき挿入紙の重送が発生しているか否かを判別することを特徴とする請求項１又は２記載の用紙処理装置。
【請求項６】
前記請求項１乃至５の何れかに記載の用紙処理装置が付設されると共に、記録紙を収納する記録紙収納手段と、前記記録紙収納手段から記録紙を順次１枚ずつ分離し搬送する記録紙搬送手段と、前記記録紙搬送手段により搬送された記録紙に画像を形成する画像形成手段とを有することを特徴とする画像形成装置。
【請求項７】
画像形成された記録紙及び挿入紙を搬送する搬送手段と、前記搬送手段により搬送された記録紙及び挿入紙を用紙束として積載する積載手段と、前記積載手段に積載された用紙束が排出される第１の排紙積載手段と、前記積載手段に積載された用紙束が排出される第２の排紙積載手段とを有し、前記記録紙に前記挿入紙を挿入した用紙束を作成可能な用紙処理装置の制御方法であって、
挿入紙が複数枚重なって搬送される重送が発生しているか否かを判別する重送判別ステップと、
前記重送判別ステップにより重送が発生していないと判断された場合に、前記積載手段に積載された用紙束を前記第１排紙積載手段に排出させ、前記重送判別ステップにより重送が発生したと判断された場合に、前記積載手段に積載されている作成途中の用紙束を前記第２の排紙積載手段へ排出する排出する制御ステップとを有することを特徴とする用紙処理装置の制御方法。
【手続補正３】
【補正対象書類名】明細書
【補正対象項目名】０００１
【補正方法】変更
【補正の内容】
【０００１】
【発明の属する技術分野】
本発明は、用紙束を作成し排出する用紙処理装置、用紙に対して画像形成処理を施し該画像形成された用紙を出力する用紙処理装置、画像形成装置、及び用紙処理装置の制御方法に関し、特に、複数の給紙段から用紙を搬送すると共に積載することで、これら複数の給紙段からの用紙が混合された用紙束を作成する場合に好適な用紙処理装置、画像形成装置、及び用紙処理装置の制御方法に関する。
【手続補正４】
【補正対象書類名】明細書
【補正対象項目名】００１０
【補正方法】変更
【補正の内容】
【００１０】
本発明は、上述した点に鑑みなされたものであり、重送した挿入紙の識別を容易に行うことができ、高価な挿入紙の再利用も可能であり、使い勝手の向上を可能とした用紙処理装置、画像形成装置、及び用紙処理装置の制御方法を提供することを目的とする。
【手続補正５】
【補正対象書類名】明細書
【補正対象項目名】００１１
【補正方法】変更
【補正の内容】
【００１１】
【課題を解決するための手段】
上記目的を達成するため、本発明の用紙処理装置は、画像形成された記録紙及び挿入紙を搬送すると共に前記記録紙に前記挿入紙を挿入した用紙束を作成可能な用紙処理装置であって、記録紙及び挿入紙を搬送する搬送手段と、前記搬送手段により搬送された記録紙及び挿入紙を用紙束として積載する積載手段と、前記積載手段に積載された用紙束が排出される第１の排紙積載手段と、前記積載手段に積載された用紙束が排出される第２の排紙積載手段と、挿入紙が複数枚重なった状態で搬送される重送が発生しているか否かを判別する重送判別手段と、前記重送判別手段により重送が発生していないと判断された場合に、前記積載手段に積載された用紙束を前記第１排紙積載手段に排出させ、前記重送判別手段により重送が発生したと判断された場合に、前記積載手段に積載されている作成途中の用紙束を前記第２の排紙積載手段へ排出する制御手段とを有することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１４
【補正方法】変更
【補正の内容】
【００１４】
また、本発明の用紙処理装置の制御方法は、画像形成された記録紙及び挿入紙を搬送する搬送手段と、前記搬送手段により搬送された記録紙及び挿入紙を用紙束として積載する積載手段と、前記積載手段に積載された用紙束が排出される第１の排紙積載手段と、前記積載手段に積載された用紙束が排出される第２の排紙積載手段とを有し、前記記録紙に前記挿入紙を挿入した用紙束を作成可能な用紙処理装置の制御方法であって、挿入紙が複数枚重なって搬送される重送が発生しているか否かを判別する重送判別ステップと、前記重送判別ステップにより重送が発生していないと判断された場合に、前記積載手段に積載された用紙束を前記第１排紙積載手段に排出させ、前記重送判別ステップにより重送が発生したと判断された場合に、前記積載手段に積載されている作成途中の用紙束を前記第２の排紙積載手段へ排出する排出する制御ステップとを有することを特徴とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】